(57)【要約】【課題】 複数個設置する場合の設置スペースを少なくすることができるという利点を有しており、しかも、誤操作防止機能を高めた流体制御器を提供する。【解決手段】  流体制御器1は、ケーシング3から上方に突出するレバー13を第１の傾斜状態とすることで弁本体内流体通路を閉に、第２の傾斜状態とすることで流体通路を開にすることができる。誤操作防止治具41は、ケーシング3の上端部に着脱自在に取り付けられる筒状部43と、筒状部43の上面に一体に設けられレバー13の移動領域を介して対向する１対の立上り部44,45とからなり、立上り部44,45の外周面に着脱自在に被せられる筒状誤操作防止カバー42と組み合わされて使用される。【選択図】    図１
2009068664.tif 000002
【特許請求の範囲】
【請求項１】
ケーシングから上方に突出する操作部材を第１の傾斜状態とすることで弁本体内流体通路を閉に、第２の傾斜状態とすることで流体通路を開にすることができる流体制御器において、誤操作防止治具をさらに備えており、誤操作防止治具は、ケーシングの上端部に着脱自在に取り付けられる筒状部と、筒状部の上面に一体に設けられ操作部材の移動領域を介して対向する１対の立上り部とからなることを特徴とする流体制御器。
【請求項２】
誤操作防止治具の立上り部の外周面に着脱自在に被せられる筒状誤操作防止カバーをさらに有していることを特徴とする請求項１の流体制御器。
【請求項３】
誤操作防止治具の立上り部の上面は操作部材の上面よりも低く、誤操作防止カバーの上面は操作部材の上面よりも高いことを特徴とする請求項２の流体制御器。
【請求項４】
操作部材を流体通路閉状態および流体通路開状態の少なくとも一方の状態でロックするロック装置をさらに備えており、誤操作防止治具およびロック装置によって誤操作に対する二重安全機構が構成されていることを特徴とする請求項１から３までのいずれかの流体制御器。
【発明の詳細な説明】
【技術分野】
【０００１】
この発明は、流体制御器に関し、特に、手動でレバーを操作しその流体通路を開閉する流体制御器に関する。
【背景技術】
【０００２】
流体制御器として、特許文献１には、ケーシングから上方に突出するレバーを第１の傾斜状態とすることで弁本体内流体通路を閉に、第２の傾斜状態とすることで弁本体内流体通路を開にすることができるとともに、レバーに設けられて弁棒を下方位置にある流体通路閉状態および上方位置にある流体通路開状態のいずれか一方の状態でロックするロック装置を備えているものが開示されている。
【特許文献１】特開２００４−１６９８１０号公報
【発明の開示】
【発明が解決しようとする課題】
【０００３】
上記特許文献１の流体制御器は、従来のトグル弁に比べて、レバーを水平状態まで揺動させる必要がないから、複数個設置する場合の設置スペースを従来より少なくすることができるという利点を有しているとともに、弁棒を下方位置にある流体通路閉状態および上方位置にある流体通路開状態のいずれか一方の状態でロックして誤作動を防止するという機能も有している。しかしながら、ロック・アンロック操作つまみを動かせば操作が可能であり、また、レバーが流体制御器の上方に突出しているので、作業者の手が当たったときなどに動く可能性があり、誤操作防止の点では、完全なものではなかった。
【０００４】
この発明の目的は、複数個設置する場合の設置スペースを少なくすることができるという利点を有しており、しかも、誤操作防止機能を高めた流体制御器を提供することにある。
【課題を解決するための手段】
【０００５】
この発明による流体制御器は、ケーシングから上方に突出する操作部材を第１の傾斜状態とすることで弁本体内流体通路を閉に、第２の傾斜状態とすることで流体通路を開にすることができる流体制御器において、誤操作防止治具をさらに備えており、誤操作防止治具は、ケーシングの上端部に着脱自在に取り付けられる筒状部と、筒状部の上面に一体に設けられ操作部材の移動領域を介して対向する１対の立上り部とからなることを特徴とするものである。
【０００６】
流体制御器の弁本体の構成、ケーシングの構成、弁棒、弁体などの内部の構成は、特に限定されない。
【０００７】
上下は、便宜的なものであり、流体制御器は、垂直に設置しても水平に設置してもよく、また、上下を逆にするなどしてもよい。
【０００８】
流体制御器は、例えば、流体通路が設けられた弁箱と、弁箱上部に設けられた筒状のケーシングと、ケーシング内に上下移動自在に設けられかつ上端部がケーシングより上方に突出している弁棒と、弁棒の下端に設けられて弁棒の上下移動に伴って流体通路を連通または遮断する弁体と、弁棒を下向きに付勢する弾性部材と、弁棒上端部を貫通する水平軸と、水平軸が貫通させられている先端部を有しかつ水平軸の軸線を中心として揺動するレバーとを備え、水平軸が相対的に上方にあって流路を開とする第１の傾斜状態と水平軸が相対的に下方にあって流路を閉とする第２の傾斜状態とにレバーが切替え可能とされているものとされる。
【０００９】
このような流体制御器では、レバーを手で揺動させることにより、第１の傾斜状態と第２の傾斜状態とにレバーを移動させることができ、これに伴って水平軸が上下移動する。その結果、弁棒が上下移動して流体通路の開閉を行うことができる。したがって、レバーを水平状態まで揺動させる必要がないから、複数個設置する場合の設置スペースを少なくすることができる。
【００１０】
誤操作防止治具は、金属製または合成樹脂製の一体成型品とされ、例えばねじにより、ケーシングに着脱自在に取り付けられる。誤操作防止治具をケーシングに着脱自在に取り付けるには、誤操作防止治具に設けた円筒状部とケーシングの円筒面との嵌め合わせによってもよい。
【００１１】
誤操作防止治具は、単独で使用されてもよいが、誤操作防止治具の立上り部の外周面に着脱自在に被せられる筒状誤操作防止カバーとともに使用されることが好ましい。誤操作防止カバーとともに使用される場合、誤操作防止治具は、流体制御器に常時取り付けられた状態とされるとともに、誤操作防止治具と操作部材との間には操作部材の操作可能間隙が確保され、誤操作防止カバーが被せられることにより、操作部材の操作が不可能となる。誤操作防止カバーは、透明とされて、操作部材が開位置にあるか閉位置にあるかを確認できるようになされていることが好ましい。
【００１２】
誤操作防止治具は、その上面が操作部材の上面より若干上方にあるように装着してもよく、また、その上面が操作部材の上面より若干下方にあるように装着してもよい。好ましくは、誤操作防止治具の位置を調整することができるようになっており、これを装着する場合に、誤操作防止治具の立上り部の上面は操作部材の上面よりも低く、誤操作防止カバーの上面は操作部材の上面よりも高くされることが操作部材の操作性の点から好ましい。
【００１３】
また、操作部材を流体通路閉状態および流体通路開状態の少なくとも一方の状態でロックするロック装置をさらに備えており、誤操作防止治具およびロック装置によって誤操作に対する二重安全機構が構成されていることが好ましい。
【００１４】
ロック装置は、例えば、 操作部材としてのレバーの軸方向に移動可能にレバーに支持されかつレバー下端方向に付勢されたストッパを有し、レバー案内部材上面に、レバーが第１の傾斜状態にあるときにストッパと係合する流体通路閉状態ロック用凹所と、レバーが第２の傾斜状態にあるときにストッパと係合する流体通路開状態ロック用凹所とが設けられており、弁棒を上方位置にある流体通路開状態および下方位置にある流体通路閉状態でロックするものとされる。このようにすると、ストッパをレバー案内部材の流体通路閉状態ロック用凹所または流体通路開状態ロック用凹所と係合させることにより、流体通路閉状態または流体通路開状態で弁棒をロックすることができ、また、付勢力に抗してストッパを移動させることにより、ロック状態を解除することができる。こうして、非常に簡単な操作で、流体通路閉状態および流体通路開状態での弁棒（レバー）のロックおよびアンロックを行うことができる。
【００１５】
上記誤操作防止治具によると、操作部材を覆うことができるので、ロック装置がない場合でも、誤操作防止機能を発揮することができる。そして、誤操作防止治具と誤操作防止機能を有しているロック装置とを組み合わせることによって、二重安全機構が構成され、誤操作に対する高い信頼性を得ることができる。
【発明の効果】
【００１６】
この発明の流体制御器によると、操作部材が誤操作防止治具に覆われることによって、操作不可能となり、誤操作防止の信頼性を大幅に高めることができる。
【発明を実施するための最良の形態】
【００１７】
この発明の実施の形態を、以下図面を参照して説明する。この明細書において、上下・左右は、図１の上下・左右をいうものとし、図２の下を前、上を後というものとする。
【００１８】
図１および図２に示すように、流体制御器(1)は、流体通路（図示略）が形成された弁本体(2)と、弁本体(2)の上方に被せられた円筒状のケーシング(3)と、ケーシング(3)から上方に突出する操作部材としてのレバー(13)およびロック・アンロック操作つまみ(31)と、ケーシング(3)に被せられた誤操作防止治具(41)とを備えている。
【００１９】
この流体制御器(1)では、レバー(13)を図１および図２に実線で示す第１の傾斜状態とすることで弁本体(2)内の流体通路を閉に、レバー(13)を図１および図２に二点鎖線で示す第２の傾斜状態とすることで弁本体(2)内の流体通路を開にすることができる。また、ロック・アンロック操作つまみ(31)を上げ下げおよび回動することにより、流体通路閉状態または流体通路開状態でロックすることができる。
【００２０】
この流体制御器(1)によると、開閉操作のためにレバー(13)を揺動させるのに必要なスペースは、弁本体(2)の左右にはみ出すことはなく、この流体制御器(1)を複数個設置する場合の設置スペースを少なくすることができるとともに、流体通路閉状態または流体通路開状態でロックする操作を非常に簡単に行うことができる。
【００２１】
誤操作防止治具(41)は、アルミニウム製の一体成型品であり、ケーシング(3)の上端部に取り付けられる円筒状部(43)と、円筒状部(43)の上面に設けられレバー(13)の移動領域を介して対向する１対の立上り部(44)(45)とからなる。
【００２２】
誤操作防止治具(41)は、単独で使用されるのではなく、立上り部(44)(45)の外周面に着脱自在に被せられる円筒状誤操作防止カバー(42)と組み合わされて使用される。
【００２３】
誤操作防止治具(41)の円筒状部(43)には、図３に示すように、ねじ孔(46)が設けられており、誤操作防止治具(41)は、ねじにより、ケーシング(3)に着脱自在に取り付けられる。したがって、誤操作防止治具(41)の設置位置は、必要に応じて、上下に移動させることができる。
【００２４】
各立上り部(44)(45)は、水平断面円弧状とされており、レバー(13)の移動方向が左右方向であるのに対し、この移動を妨げないように、前後に所定間隔をおいて対向させられている。
【００２５】
誤操作防止治具(41)だけが流体制御器(1)に取り付けられている状態において、ロック・アンロック操作つまみ(31)を指でつまんで上下移動または回動させることができかつレバーを移動させることができる程度の間隙が形成されている。間隙を大きくして操作性を向上させたい場合には、誤操作防止治具(41)を下方にずらすことで対応することができる。
【００２６】
誤操作防止カバー(42)は、アクリル製で透明のものとされている。誤操作防止治具(41)の円筒状部(43)の外周面と誤操作防止カバー(42)の外周面とは面一になるように形成されており、円筒状部(43)の上面には、誤操作防止カバー(42)の下端面受け止める段差(43a)が形成されている。誤操作防止カバー(42)の上端部(42b)は、内周面が削られて薄肉に形成されている。
【００２７】
誤操作防止カバー(42)の下端部には、環状の突起(42a)が設けられており、この突起(42a)が誤操作防止治具(41)の各立上り部(44)(45)の下端部に設けられた環状溝(44a)(45a)に嵌まり合うようになされている。したがって、一旦嵌まり合った後に、これを外すには大きな力が必要であり、緩く嵌まり合っているだけまたは摩擦力による抜け止めに比べて、誤操作防止カバー(42)を取り外しにくいものとなっている。
【００２８】
この流体制御器(1)によると、誤操作防止治具(41)は、常にケーシング(3)に取り付けられた状態とされ、必要な開閉操作を行った後に、この誤操作防止治具(41)に誤操作防止カバー(42)を嵌め被せることにより、その後の誤操作が確実に防止される。
【００２９】
流体制御器(1)の内部構成については、特に限定されるものではないが、好ましい一例を図５に示す。
【００３０】
図５において、流体制御器(1)は、左下向きの流体入口通路(2a)および右下向きの流体出口通路(2b)が設けられた弁本体(2)と、弁本体(2)に上方突出状に設けられた筒状めねじ部に下端部のおねじ部がねじ合わされた筒状のケーシング(3)と、ケーシング(3)内に上下移動自在に設けられかつ上端部(5a)がケーシング(3)より上方に突出している弁棒(5)と、周縁部が弁本体(2)に固定されており弁棒(5)の上下移動に伴って流体入口通路(2a)を開閉するダイヤフラム（弁体）(6)と、弁棒(5)の下端に設けられてダイヤフラム(6)を下方に押す円盤状のダイヤフラム押さえ(7)と、流体入口通路(2a)の上向き開口の周縁部に設けられてダイヤフラム(6)の中央寄り部分を受ける環状の弁座(8)と、ケーシング(3)内に納められ、弁棒(5)の下端部近くに設けられた外向きフランジ部(5b)とケーシング(3)の中間部に設けられた環状の段部(3a)とにより受け止められて弁棒(5)を下向きに付勢する圧縮コイルばね(9)と、ケーシング(3)上端部に取り付けられたレバー受け(10)と、レバー受け(10)に被せられたカバー(11)と、弁棒(5)の上端部(5a)を貫通し弁棒(5)とともに上下移動する水平軸(12)と、水平軸(12)が貫通させられている先端部を有しかつ水平軸(12)の軸線を中心として揺動する水平軸駆動用レバー(13)と、レバー受け(10)上面に配置されたレバー案内部材(14)と、レバー(13)に設けられて弁棒(5)を下方位置にある流体通路閉状態および上方位置にある流体通路開状態のいずれか一方の状態でロックするロック装置(15)とを備えている。
【００３１】
レバー受け(10)は、弁棒上端部(5a)が挿通されている孔あき円板部(16)と、円板部(16)下面に設けられた円筒状下方突出部(17)と、円板部(16)の上面に設けられた円筒状上方突出部(18)とからなる。そして、その下方突出部(18)がケーシング(3)の小径とされた上端部に嵌め合わされるとともに、同部(18)を貫通してねじ込まれた水平の止めねじ(19)によりケーシング(3)上端部に取り付けられている。
【００３２】
カバー(11)は、頂壁(11a)を有する円筒状に形成され、レバー受け(10)に上方から嵌め被せられている。
【００３３】
レバー(13)の先端面には、水平軸(12)の軸線との距離が異なる２つのレバー受け当接面(13a)(13b)が設けられている。
【００３４】
レバー案内部材(14)は、底面が平坦な半球状に形成されており、その上端部分をカバー(11)の頂壁(11a)から上方に露出させている。カバー(11)の頂壁(11a)には、レバー案内部材(14)の上方への抜けを防止する断面円形の孔が設けられている。レバー案内部材(14)には、同部材(14)を上下方向に貫通しかつレバー(13)下端部が移動可能に収められている貫通孔(20)が設けられている。貫通孔(20)の上端部は、左右方向に外広がりの傾斜状に形成されており、貫通孔(20)の左傾斜面が、流路閉方向に揺動させられたレバー(13)を第１の傾斜状態で停止させる第１のストッパ面(21)とされ、第１のストッパ面(21)に対向する右傾斜面が、流路開方向に揺動させられたレバー(13)を第２の傾斜状態で停止させる第２のストッパ面(22)とされている。第１および第２ストッパ面(21)(22)は、例えば、それぞれ垂直から２０°程度傾斜させられている。なお、ストッパ面(21)(22)同士のなす角は、９０°以下、例えば、４０°〜７０°が好ましく、これに伴い、水平軸(12)の軸線を中心とするレバー受け当接面(13a)(13b)同士のなす角も、９０°以下、例えば、４０°〜７０°とされる。
【００３５】
図５に示す流路閉状態において、レバー(13)は、左側の第１ストッパ面(21)に当たって停止している。この状態からレバー(13)を揺動させて、レバー(13)を右側の第２ストッパ面(22)に当てて停止させると、流路開状態が得られる。第２の傾斜状態で停止させられたレバー(13)のレバー受け当接面(13a)と水平軸(12)の軸線との距離は、第１の傾斜状態で停止させられたレバー(13)のレバー受け当接面(13b)と水平軸(12)の軸線との距離よりも大きくなされており、レバー(13)を揺動させることにより、水平軸(12)したがって弁棒(5)が下方に位置させられた流路閉状態と、水平軸(12)したがって弁棒(5)が上方に位置させられた流路開状態とが得られる。
【００３６】
ロック装置(15)は、レバー(13)の軸方向に移動可能にレバー(13)に支持されたストッパ(27)と、ストッパ(27)をレバー下端方向に付勢するストッパ付勢用圧縮コイルばね(28)と、レバー受け部材(14)上面に設けられておりストッパ(27)の先端部(27a)が嵌め入れられる左右一対のストッパロック用凹所(29)(30)と、ストッパ(27)の上端部に設けられたブロック状のロック・アンロック操作つまみ(31)とよりなる。
【００３７】
レバー(13)には、長手方向にのびる横断面円形のストッパ案内溝(32)が設けられており、ストッパ(27)は、このストッパ案内溝(32)に摺動自在にかつストッパ(27)の軸線回りに回動自在に嵌め入れられている。ストッパ(27)の上端部と操作つまみ(31)とは結合されており、操作つまみ(31)を手で持って圧縮コイルばね(28)の付勢力に抗して引き上げることにより、ストッパ(27)をその軸線方向に沿って上方に動かすことができ、また、ストッパ(27)の先端部(27a)がストッパロック用凹所(29)(30)に嵌まり合ってないときに操作つまみ(31)を回動することにより、ストッパ(27)をその軸線回りに回動させることができる。そして、図に示した状態から操作つまみ(31)を引き上げて９０°回動させることにより、ストッパ(27)の先端部(27a)がストッパロック用凹所(29)(30)から外れるようになされている。図５に示す閉状態においては、ストッパ(27)の先端部(27a)は、左の凹所（流体通路閉状態ロック用凹所）(29)に嵌め入れられており、開状態においては、ストッパ(27)の先端部が右の凹所（流体通路開状態ロック用凹所）(30)に嵌め入れられる。
【００３８】
図５に示した流体制御器(1)によると、内蔵されている構成として、誤操作を防止するためのロック装置(15)を有しており、これに、後から取り付けられる誤操作防止治具(51)を追加することで誤操作防止に対して二重の安全機構が構成され、極めて信頼性が高いものとなる。
【００３９】
なお、図５の流体制御器(1)は、これの下方にブロック状通路形成部材を接続するのに適しているもので、流体制御器の弁本体、ケーシングなどの構成は、これに限定されるものではなく、種々変更することができ、例えば、ケーシング(3)と弁本体(2)とを一体的に形成することも可能である。また、内部の構成についても、例えば、流体制御器(1)の弁体(6)は、ダイヤフラムに限られるものではなく、ケーシングの頂壁をレバー受けとして、レバー受けを省略することも可能である。そして、レバー(13)操作により、弁棒(5)が上下移動して流体通路が開閉されるとともに、下方位置にある流体通路閉状態および上方位置にある流体通路開状態でそれぞれレバー(13)がロックされる流体制御器であれば、上記のトグル式開閉機構およびロック装置(15)を設けることができ、誤操作防止治具(41)および誤操作防止カバー(42)を取り付けることができる。
【図面の簡単な説明】
【００４０】
【図１】この発明による流体制御器の１実施形態を示す一部を切り欠いた正面図である。
【図２】この発明による流体制御器の１実施形態を示す平面図である。
【図３】誤操作防止治具および誤操作防止カバーを示す斜視図である。
【図４】同垂直断面図である。
【図５】この発明による流体制御器の内部構造の一例を示す垂直断面図である。
【符号の説明】
【００４１】
(1)       流体制御器
(3)       ケーシング
(13)      レバー（操作部材）
(15)      ロック装置
(31)      ロック・アンロック操作つまみ（操作部材）
(41)      誤操作防止治具
(42)      誤操作防止カバー
(43)      円筒状部
(44)(45)  立上り部
【図１】
2009068664.tif 000003
【図２】
2009068664.tif 000004
【図３】
2009068664.tif 000005
【図４】
2009068664.tif 000006
【図５】
2009068664.tif 000007